(57)【要約】【課題】撮影光路内にミラーを配置したデジタルカメラにおいて、ミラーが損傷し難いデジタルカメラを提供することを目的とする。【解決手段】撮影レンズ１０１ａ、１０１ｂを通過した被写体光束を撮像して被写体像信号を出力するＣＣＤ２２１と、このＣＣＤ２２１の光路内に進退可能な可動反射ミラー２０１と、この可動反射ミラー２０１に静電力を作用させて駆動する反射ミラー駆動回路２１５と、可動反射ミラー２０１によって反射された被写体光束を受光して撮影レンズの焦点状態を検出する測距センサ２１７と、可動反射ミラー２０１が光路外にあるときに被写体像信号に基づいて被写体の動画像をスルー画表示する背面液晶モニタ２６を具備し、背面液晶モニタ２６は可動反射ミラー２０１が光路内にあるときは動画像に代えて静止画像を表示する。【選択図】  図１
2008010907.tif 000002
【特許請求の範囲】
【請求項１】
撮影レンズを通過した被写体光束を撮像して被写体像信号を出力する撮像手段と、
この撮像手段の光路内に進退可能な反射ミラーと、
この反射ミラーに静電力を作用させて駆動する駆動手段と、
上記反射ミラーによって反射された被写体光束を受光して撮影レンズの焦点状態を検出する測距手段と、
上記反射ミラーが上記光路外にあるときに上記被写体像信号に基づいて被写体の動画像を表示装置に表示するスルー画表示手段と、  
を具備し、
上記スルー画表示手段は上記反射ミラーが上記光路内にあるときは上記動画像に代えて静止画像を表示することを特徴とするデジタルカメラ。
【請求項２】
上記静止画像は、上記反射ミラーが上記撮像光路内に進出する以前の被写体像信号に基づくものであることを特徴とする請求項１に記載のデジタルカメラ。
【請求項３】
上記反射ミラーは、上記測距手段による測距動作の終了後、上記光路外へ退避することを特徴とする請求項１に記載のデジタルカメラ。
【請求項４】
上記反射ミラーが上記光路内に進出し、再び退避するまでの時間は、上記撮像手段の１撮像周期よりも短いことを特徴とする請求項１に記載のデジタルカメラ。
【請求項５】
上記測距手段は、被写体が低輝度の場合に上記測距動作を複数に分割して実行することを特徴とする請求項１に記載のデジタルカメラ。
【請求項６】
上記反射ミラーは複数のエレクトレット化部位を有するエレクレットミラーであり、上記駆動手段は複数のエレクトレット化部位に静電力を作用させるための複数の駆動電極と、この複数の駆動電極に周期的な電圧信号を印加する駆動回路とを含んでいることを特徴とする請求項１乃至５に記載のデジタルカメラ。
【請求項７】
撮影レンズを通過した被写体光束を撮像して被写体像信号を出力する撮像手段と、
上記撮像手段の光路内に進退可能であって、静電力によって駆動されるエレクトレットミラーと、
このエレクトレットミラーに静電力を作用させて撮影光路に対して進退させる駆動手段と、
上記エレクトレットミラーが上記撮影光路内にあるときに上記エレクトレットミラーによって反射された被写体光束を受光して撮影レンズの焦点状態を検出する測距手段と、
を具備しており、
上記エレクトレットミラーが上記光路内に進出し、再び退避するまでの時間は、上記撮像手段の１撮像周期よりも短いことを特徴とするデジタルカメラ。
【請求項８】
上記反射ミラーは複数のエレクトレット化部位を有し、上記駆動手段は上記複数のエレクトレット化部位に静電力を作用させるための複数の駆動電極と、この複数の駆動電極に周期的な電圧信号を印加する駆動回路とを含んでいることを特徴とする請求項７に記載のデジタルカメラ。
【請求項９】
上記駆動手段は、上記測距手段の測距動作の直前に上記反射ミラーを撮影光路内に進出させることを特徴とする請求項７に記載のデジタルカメラ。
【請求項１０】
上記駆動手段は、上記測距動作の終了に連動して上記反射ミラーを撮影光路外に退避させることを特徴とする請求項７に記載のデジタルカメラ。
【請求項１１】
撮影レンズを通過した被写体光束を撮像して被写体像信号を出力する撮像手段と、
上記撮像手段の光路内に進退可能な可動ミラーと、
この可動ミラーを撮影光路に対して進退させる駆動手段と、
上記可動ミラーが上記撮影光路の外にあるときに上記被写体像信号に基づいて被写体の動画像を表示装置に表示するスルー画表示手段と、  
を具備し、
上記可動ミラーが上記撮影光路内に進出し、再び退避するまでの時間は、上記撮像手段の１撮像周期よりも短いことを特徴とするデジタルカメラ。
【請求項１２】
上記可動ミラーが上記撮影光路内にあるときには、上記スルー画表示手段は、上記動画像を固定することを特徴とする請求項１１に記載のデジタルカメラ。
【請求項１３】
さらに、上記可動ミラーが上記撮影光路内にあるときに上記可動ミラーによって反射された被写体光束を受光して撮影レンズの焦点状態を検出する測距手段を具備したことを特徴とする請求項１１に記載のデジタルカメラ。
【請求項１４】
上記測距手段の測距センサは、被写体輝度が低い場合には、上記可動ミラーが撮影光路内にあるときは積分を中断し、上記可動ミラーが撮影光路外にあるときは積分を行い、積分が適正レベルになるまでこれらの動作を繰り返し行うことを特徴とする請求項１３に記載のデジタルカメラ。
【発明の詳細な説明】
【技術分野】
【０００１】
本発明は、スルー画表示機能を有するデジタルカメラに関し、詳しくは、撮像素子で取得した画像を動画像として表示装置に表示する所謂スルー画表示機能（ライブビュー表示機能、電子ファインダ機能とも言う）を有するデジタルカメラに関する。
【背景技術】
【０００２】
従来のデジタルカメラにおいては、被写体像の観察は、光学式ファインダにより行っていたが、最近は、光学式ファインダをなくし、代わりに被写体画像データの記録用に設けられている撮像素子の出力を表示にも利用している。即ち、撮像素子で取得した画像を、被写体像観察用に液晶モニタ等の表示装置によって表示するスルー画像表示機能を有しているものが多くなってきている。
【０００３】
このようなスルー画表示機能を有するデジタルカメラとして、例えば、特許文献１には、可動ミラーを撮影光路から退避させるとともにフォーカルプレーンシャッタを全開状態にして被写体像を撮像素子に導き、それによって得られた被写体像を連続的に液晶モニタに表示するようにしたレンズ交換式カメラが開示されている。ただし、この特許文献１では、スルー画表示中に可動ミラーを撮影光路外に退避させるために、従来のカメラで一般的に採用されているＴＴＬ（Trough The Lens）位相差ＡＦ（Auto Focus）を行うことができないという問題がある。
【特許文献１】特開２００２−３６９０４２号公報
【０００４】
そこで、特許文献２には、可動ミラーをハーフミラーで構成し、撮影光学系を通過した被写体光束を撮像素子と位相差ＡＦセンサの両方に導くようにしたデジタルカメラが提案されている。この構成によれば、スルー画表示を行いながら位相差ＡＦも可能となり、前述の問題を解決することができる。
【特許文献２】特開２００２−６２０８号公報
【発明の開示】
【発明が解決しようとする課題】
【０００５】
しかしながら、特許文献２のように撮影光路内にハーフミラーを配置する構成をデジタルカメラに適用した場合には、ハーフミラーは非常に薄いので、撮影時に撮影光路から退避させる際に、衝撃で破損してしまうおそれがある。
【０００６】
本発明は、このような事情を鑑みてなされたものであり、撮影光路内にミラーを配置したデジタルカメラにおいて、ミラーが損傷し難いデジタルカメラを提供することを目的とする。
【課題を解決するための手段】
【０００７】
上記目的を達成するため第１の発明に係わるデジタルカメラは、撮影レンズを通過した被写体光束を撮像して被写体像信号を出力する撮像手段と、この撮像手段の光路内に進退可能な反射ミラーと、この反射ミラーに静電力を作用させて駆動する駆動手段と、上記反射ミラーによって反射された被写体光束を受光して撮影レンズの焦点状態を検出する測距手段と、上記反射ミラーが上記光路外にあるときに上記被写体像信号に基づいて被写体の動画像を表示装置に表示するスルー画表示手段を具備し、上記スルー画表示手段は上記反射ミラーが上記光路内にあるときは上記動画像に代えて静止画像を表示する。
【０００８】
第２の発明に係わるデジタルカメラは、上記第１の発明において、上記静止画像は、上記反射ミラーが上記撮像光路内に進出する以前の被写体像信号に基づくものである。
また、第３の発明に係わるデジタルカメラは、上記第１の発明において、上記反射ミラーは、上記測距手段による測距動作の終了後、上記光路外へ退避する。
さらに、第４の発明に係わるデジタルカメラは、上記第１の発明において、上記反射ミラーが上記光路内に進出し、再び退避するまでの時間は、上記撮像手段の１撮像周期よりも短い。
さらに、第５の発明に係わるデジタルカメラは、上記第１の発明において、上記測距手段は、被写体が低輝度の場合に上記測距動作を複数に分割して実行する。
さらに、第６の発明に係わるデジタルカメラは、上記第１乃至第５の発明において、上記反射ミラーは複数のエレクトレット化部位を有するエレクレットミラーであり、上記駆動手段は複数のエレクトレット化部位に静電力を作用させるための複数の駆動電極と、この複数の駆動電極に周期的な電圧信号を印加する駆動回路とを含んでいる。
【０００９】
上記目的を達成するため第７の発明に係わるデジタルカメラは、撮影レンズを通過した被写体光束を撮像して被写体像信号を出力する撮像手段と、上記撮像手段の光路内に進退可能であって、静電力によって駆動されるエレクトレットミラーと、このエレクトレットミラーに静電力を作用させて撮影光路に対して進退させる駆動手段と、上記エレクトレットミラーが上記撮影光路内にあるときに上記エレクトレットミラーによって反射された被写体光束を受光して撮影レンズの焦点状態を検出する測距手段を具備しており、上記エレクトレットミラーが上記光路内に進出し、再び退避するまでの時間は、上記撮像手段の１撮像周期よりも短い。
【００１０】
第８の発明に係わるデジタルカメラは、上記第７の発明において、上記反射ミラーは複数のエレクトレット化部位を有し、上記駆動手段は上記複数のエレクトレット化部位に静電力を作用させるための複数の駆動電極と、この複数の駆動電極に周期的な電圧信号を印加する駆動回路とを含んでいる。
また、第９の発明に係わるデジタルカメラは、上記第７の発明において、上記駆動手段は、上記測距手段の測距動作の直前に上記反射ミラーを撮影光路内に進出させる。
さらに、第１０の発明に係わるデジタルカメラは、上記第７の発明において、上記駆動手段は、上記測距動作の終了に連動して上記反射ミラーを撮影光路外に退避させる。
【００１１】
第１１の発明に係わるデジタルカメラは、撮影レンズを通過した被写体光束を撮像して被写体像信号を出力する撮像手段と、上記撮像手段の光路内に進退可能な可動ミラーと、この可動ミラーを撮影光路に対して進退させる駆動手段と、上記可動ミラーが上記撮影光路の外にあるときに上記被写体像信号に基づいて被写体の動画像を表示装置に表示するスルー画表示手段を具備し、上記可動ミラーが上記撮影光路内に進出し、再び退避するまでの時間は、上記撮像手段の１撮像周期よりも短い。
【００１２】
第１２の発明に係わるデジタルカメラは、上記第１１の発明において、上記可動ミラーが上記撮影光路内にあるときには、上記スルー画表示手段は、上記動画像を固定する。
第１３の発明に係わるデジタルカメラは、上記第１１の発明において、上記可動ミラーが上記撮影光路内にあるときに上記可動ミラーによって反射された被写体光束を受光して撮影レンズの焦点状態を検出する測距手段を具備する。
第１４の発明に係わるデジタルカメラは、上記第１３の発明において、上記測距手段の測距センサは、被写体輝度が低い場合には、上記可動ミラーが撮影光路内にあるときは積分を中断し、上記可動ミラーが撮影光路外にあるときは積分を行い、積分が適正レベルになるまでこれらの動作を繰り返し行う。
【発明の効果】
【００１３】
本発明によれば、撮像手段の光路内に進退可能な反射ミラーと、この反射ミラーに静電力を作用させて駆動する駆動手段を具備するようにしたので、ミラーが損傷し難いデジタルカメラを提供することができる。
【発明を実施するための最良の形態】
【００１４】
以下、図面に従って本発明を適用したデジタルカメラを用いて好ましい一実施形態について説明する。図１は、本発明の実施形態に係るデジタルカメラの電気系を主とするブロック図である。レンズ鏡筒１０はカメラ本体２０の前面のマウント開口部（不図示）に着脱自在となっている。マウント開口部を介してレンズ鏡筒１０内のレンズ１０１ａ、１０１ｂ等からなる撮影レンズによる被写体光束がカメラ本体２０内に導かれる。本実施形態では、レンズ鏡筒１０とカメラ本体２０は別体で構成され、通信接点３００を介して電気的に接続されている。また、カメラ本体２０に設けた着脱検知スイッチ２５９によって着脱状態を検出可能となっている。
【００１５】
レンズ鏡筒１０の内部には、焦点調節および焦点距離調節用のレンズ１０１ａ、１０１ｂと、開口量を調節するための絞り１０３が配置されている。レンズ１０１ａおよびレンズ１０１ｂは光学系駆動機構１０７によって駆動され、絞り１０３は絞り駆動機構１０９によって駆動されるよう接続されている。光学系駆動機構１０７、絞り駆動機構１０９はそれぞれレンズＣＰＵ１１１に接続されており、このレンズＣＰＵ１１１は通信接点３００を介してカメラ本体２０に接続されている。レンズＣＰＵ１１１はレンズ鏡筒１０内の制御を行うものであり、光学系駆動機構１０７を制御してピント合わせや、ズーム駆動を行うとともに、絞り駆動機構１０９を制御して絞り値制御を行う。
【００１６】
カメラ本体２０内のミラーボックス内には、可動反射ミラー２０１が配置されている。この可動反射ミラー２０１は、レンズ１０１ａ、１０１ｂの光路上に進出する位置と退避する位置とに移動可能であり、退避した位置ではレンズ１０１ａ、１０１ｂからの被写体光束をＣＣＤ（Charge Coupled Devices）２２１の方向に通過させ、反射する位置では被写体光束を測距センサ２１７に反射する。また、この可動反射ミラー２０１はレンズ１０１ａ、１０１ｂの光路に対して４５度傾いて配置されており、可動反射ミラー２０１の内部には紙面に対して垂直方向に静電力によって摺動する可動ミラー部材４０１（図２参照）が設けられている。この可動反射ミラー２０１の詳しい構成と作用は図２乃至図５を用いて後述する。なお、本実施形態においては、被写体光束は上側に反射するように可動反射ミラー２０１は配置されているが、これに限らず、下側に反射するように配置しても良く、またカメラ本体２０の左側や右側に反射するように配置しても勿論構わない。
【００１７】
前述の測距センサ２１７は、カメラ本体２０内のミラーボックスの上部であって、可動ハーフミラー２０１によって反射された光束が導かれる位置に配置されており、ＴＴＬ位相差法によって測距するためのセンサである。測距センサ２１７の出力は測距処理回路２１９に送られる。測距処理回路２１９は、測距センサの出力に基づいて、レンズ１０１、１０１ｂによって結像される被写体像の焦点ズレ量を測定する。
【００１８】
可動反射ミラー２０１の後方、かつレンズ１０１ａ、１０１ｂの光軸上であって、撮影光路上には、露光時間制御およびＣＣＤ２２１の遮光用のフォーカルプレーンタイプのシャッタ２０３が配置されており、このシャッタ２０３はシャッタ駆動機構２１３によって駆動制御される。シャッタ２０３の後方には防塵フィルタ２０５が配置されており、これは、カメラ本体２０のマウント開口部や本体内部で発生した塵埃がＣＣＤ２２１や光学素子に付着して塵埃の影が被写体像に写しこまれ、見苦しくなることを防止するためのフィルタである。防塵フィルタ２０５の周縁部の全周または一部に圧電素子２０７が固着され、この圧電素子２０７は防塵フィルタ駆動回路２１１に接続され、この回路によって駆動される。圧電素子２０７は防塵フィルタ駆動回路２１１によって、防塵フィルタ２０５が所定の超音波で振動するよう駆動され、その振動を利用して防塵フィルタ２０５の前面に付着した塵埃を除去する。なお、ＣＣＤ等の撮像素子自体もしくは撮像素子の前面側に配設された光学素子に付着した塵埃を除去できるものであれば、本実施形態のような超音波振動を利用したものに限らず、空気ポンプ等を利用して空気流によって吹き飛ばすものや、静電気を利用して塵埃を集塵して除去するもの等、種々の方法に適宜、置き換えても勿論構わない。
【００１９】
防塵フィルタ２０５の後方には、被写体光束から赤外光成分をカットするための赤外カットフィルタ２０９が配置され、その後方には被写体光束から高周波成分を取り除くための光学的ローバスフィルタ２１０が配置されている。そして、光学的ローパスフィルタ２１０の後方には、撮像素子としてのＣＣＤ２２１が配置されており、レンズ１０１ａ、１０１ｂによって結像される被写体像を電気信号に光電変換する。これらの防塵フィルタ２０５、赤外カットフィルタ２０９、光学的ローパスフィルタ２１０およびＣＣＤ２１１は、図示しない密封されたパッケージに一体に収納されており、塵埃がこのパッケージ内に侵入しないように構成されている。なお、本実施形態では撮像素子としてＣＣＤを用いているが、これに限らずＣＭＯＳ（Complementary Metal Oxide Semiconductor）等の二次元撮像素子を使用できることはいうまでもない。
【００２０】
ＣＣＤ２２１は撮像素子駆動回路２２３に接続され、入出力回路２３９からの制御信号によって駆動制御される。撮像素子駆動回路２２３によって、ＣＣＤ２２１から出力された光電アナログ信号が増幅され、アナログデジタル変換（ＡＤ変換）される。撮像素子駆動回路２２３はＡＳＩＣ(Application Specific Integrated Circuit  特定用途向け集積回路)２６２内の画像処理回路２２７に接続され、この画像処理回路２２７によってデジタル画像データのデジタル的増幅（デジタルゲイン調整処理）、色補正、ガンマ(γ)補正、コントラスト補正、白黒・カラーモード処理、スルー画像処理といった各種の画像処理がなされる。画像処理回路２２７は、データバス２６１に接続されている。このデータバス２６１には、画像処理回路２２７の他、後述するシーケンスコントローラ(以下、「ボディＣＰＵ」と称す)２２９、圧縮伸張回路２３１、ビデオ信号出力回路２３３、ＳＤＲＡＭ制御回路２３７、入出力回路２３９、通信回路２４１、記録媒体制御回路２４３、フラッシュメモリ制御回路２４７、スイッチ検出回路２５３が接続されている。
【００２１】
データバス２６１に接続されているボディＣＰＵ２２９は、このデジタルカメラの動作を制御するものである。またデータバス２６１に接続されている圧縮伸張回路２３１はＳＤＲＡＭ２３８に記憶された画像データをＪＰＥＧやＴＩＦＦで圧縮するための回路である。なお、画像圧縮はＪＰＥＧやＴＩＦＦに限らず、他の圧縮方法も適用できる。データバス２６１に接続されたビデオ信号出力回路２３３は液晶モニタ駆動回路２３５を介して背面液晶モニタ２６とファインダ内液晶モニタ２９（図中Ｆ内液晶モニタと略記）に接続される。ビデオ信号出力回路２３３は、ＳＤＲＡＭ２３８、または記録媒体２４５に記憶された画像データを、背面液晶モニタ２６および／またはファインダ内液晶モニタ２９に表示するためのビデオ信号に変換するための回路である。背面液晶モニタ２６はカメラ本体２０の背面に配置されるが、撮影者が観察できる位置であれば、背面に限らないし、また液晶に限らず他の表示装置でも構わない。ファインダ内液晶モニタ２９は、ファインダ接眼部を介して撮影者によって観察できる位置に配置されており、背面液晶モニタ２６と同様、液晶に限らず他の表示装置でも構わない。なお、被写体像の観察として背面液晶モニタ２６のみとし、ファインダ接眼部およびファインダ内液晶モニタ２９を省略することも可能である。
【００２２】
ＳＤＲＡＭ２３８は、ＳＤＲＡＭ制御回路２３７を介してデータバス２６１に接続されており、このＳＤＲＡＭ２３８は、画像処理回路２２７によって画像処理された画像データまたは圧縮伸張回路２３１によって圧縮された画像データを一時的に記憶するためのバッファメモリである。上述の防塵フィルタ駆動回路２１１、シャッタ駆動機構２１３、反射ミラー駆動回路２１５、測距処理回路２１９、撮像素子駆動回路２２３に接続される入出力回路２３９は、データバス２６１を介してボディＣＰＵ２２９等の各回路とデータの入出力を制御する。レンズＣＰＵ１１１と通信接点３００を介して接続された通信回路２４１は、データバス２６１に接続され、ボディＣＰＵ２２９等とのデータのやりとりや制御命令の通信を行う。
【００２３】
データバス２６１に接続された記録媒体制御回路２４３は、記録媒体２４５に接続され、この記録媒体２４５への画像データ等の記録の制御を行う。記録媒体２４５は、ｘDピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２０に対して着脱自在となっている。その他、マイクロドライブ（登録商標）などの様なハードディスクユニットや無線通信ユニットを接続可能に構成してもよい。
【００２４】
データバス２６１に接続されているフラッシュメモリ制御回路２４７は、フラッシュメモリ（Flash Memory）２４９に接続され、このフラッシュメモリ２４９は、カメラのフローを制御するためのプログラムが記憶されており、ボディＣＰＵ２２９はこのフラッシュメモリ２４９に記憶されたプログラムに従ってデジタルカメラの制御を行う。なお、フラッシュメモリ２４９は、電気的に書換可能な不揮発性メモリである。
【００２５】
カメラ本体２０やレンズ鏡筒１０のパワー供給の制御を行うためのパワースイッチレバーに連動してオン・オフするパワースイッチ２５７と、シャッタレリーズ釦に連動するスイッチ、再生モードを指示する再生釦に連動するスイッチ、背面液晶モニタ２６の画面でカーソルの動きを指示する十字釦に連動するスイッチ、撮影モードを指示するモードダイヤルに連動するスイッチ、選択された各モード等を決定するＯＫ釦に連動するＯＫスイッチ、着脱検知スイッチ２５９等の各種スイッチ２５５は、スイッチ検出回路２５３を介してデータバス２６１に接続されている。なお、レリーズ釦は、撮影者が半押しするとオンする第１レリーズスイッチと、全押しするとオンする第２レリーズスイッチを有している。この第１レリーズスイッチ（以下、１Ｒと称する）のオンによりカメラは焦点検出、撮影レンズのピントあわせ、被写体輝度の測光等の撮影準備動作を行い、第２レリーズスイッチ（以下、２Ｒと称する）のオンにより撮像素子としてのＣＣＤ２２１の出力に基づいて被写体像の画像データの取り込みを行う撮影動作を実行する。
【００２６】
次に、可動反射ミラー２０１の構成について、図２乃至図４を用いて説明する。図２（Ａ）は可動反射ミラー２０１の外観斜視図であり、図２（Ｂ）は可動反射ミラー２０１の長手方向の断面図であり、図２（Ｃ）は可動ミラー部材４０１の長手方向断面図である。ガラス基板４０３と保護ガラス４０５は、スペーサー４０７を挟んで一体化されており、スペーサー４０７によって形成される空間に、可動ミラー部材４０１は摺動自在に載置されている。可動ミラー４０１の基材４０１ａはポリイミド樹脂等で構成され、その一側はアルミ蒸着４０１ｂが施され、全反射面となっている。また、基材４０１ｂの他側はフッ素樹脂等により形成されるエレクトレットフィルム４０１ｃとなっている。
【００２７】
エレクレットフィルム４０１ｃは、例えばフッ素樹脂のフィルムを形成した後、エッチングにより一部を削除することにより図２（Ｃ）に示すように所定間隔（間隔α：図５（Ａ）参照）ごとにフィルム部分が残され、この状態で高電界コロナ放電処理を施すことにより、そのフィルム部分のみがエレクトレット化される。すなわち、フィルム部分がプラスとマイナスに帯電した状態となる。またガラス基板４０３で、可動ミラー部材４０１と対向する面には、走査電極４０３ａが設けられている。この走査電極４０３ａは図３に示すようにガラス基板４０３の短辺方向に延びる互いに平行な複数の電極（間隔ピッチｄ：図５（Ａ）参照）から構成される。ガラス基板４０３と保護ガラス４０５の対向する部分には、被写体光束を通過または可動ミラー部材４０１によって反射させるための開口部２０１ａが形成されている。
【００２８】
図３は可動反射ミラー２０１の動作状態を示す平面図であり、（Ａ）は可動ミラー部材４０１がガラス基板４０３の右側に移動し、開口部２０１ａから退避した状態である。また、（Ｂ）は可動ミラー部材４０１がガラス基板４０３の左側に移動し、開口部２０１ａを覆う反射位置に移動した状態である。図３（Ａ）の状態では、開口部２０１ａが開放された状態であることから、被写体光束は可動反射ミラー２０１を通過できる状態であり、また（Ｂ）の状態では、開口部２０１ａは可動ミラー部材４０１によって覆われ、アルミ蒸着面４０１ｂが露出することから、被写体光束は可動反射ミラー２０１によって反射される状態である。
【００２９】
図４は反射ミラー駆動回路２１５の構成を示す。反射ミラー駆動回路２１５はパルス発生回路５０１、移相器５０３および昇圧回路５０５から構成される。電源電池とアース間に接続されたパルス発生回路５０１は、制御信号を受けるとパルスを発生し、出力する回路である。このパルス発生回路５０１の出力端に接続された移相器５０３は、入力パルスの位相を９０度移相し出力する。昇圧回路５０５は、内部に２つの昇圧器を含み、各昇圧器は２つの出力端子を有し、ガラス基板４０３上に形成された走査電極４０３ａの各電極Ａ、Ｂ、Ｃ、Ｄに接続されている。
【００３０】
また、走査電極４０３ａと対向する位置には、回動ミラー部材４０１上に形成されたエレクトレットフィルム４０１ｃが設けられている。なお、図４ではエレクトレットフィルム４０１ｃと走査電極４０３ａの一部のみが模式的に描かれている。そして昇圧回路５０５は、パルス発生回路５０１および移相器５０３の出力をそれぞれ入力し、パルス発生回路５０１の出力パルスに対して、０度、９０度、１８０度、２７０度だけ位相のずれたパルスを出力する。
【００３１】
図５を用いて可動ミラー部材４０１の駆動原理について説明する。走査電極４０３ａの各電極Ａ、Ｂ、Ｃ、Ｄには、図５（Ｂ）に示されるようなパルス電圧が印加される。エレクトレットフィルム４０１ｃのプラス（＋）に帯電したフィルムは走査電極４０３ａの電極Ａ、Ｂに対向しており、エレクトレットフィルム４０１ｃのマイナス（−）に帯電したフィルムは走査電極４０３ａの電極Ｃ、Ｄに対向しているとする。時刻ｔ１では、電極ＢおよびＣはマイナス（−）であり、これと対向するエレクトレットフィルム４０１ｃはプラス（＋）であり、電極ＤおよびＡはプラス（＋）であり、これと対向するエレクトレットフィルム４０１ｃはマイナス（−）となっている。
【００３２】
この状態から時刻ｔ２になると、電極ＣおよびＤはマイナス（−）となることから、エレクトレットフィルム４０１ｃでプラス（＋）に帯電しているフィルム部分が引き合い、電極ＡおよびＢはプラス（＋）となることから、エレクトレットフィルム４０１ｃでマイナス（−）に帯電している部分が引き合い、図５（Ａ）のｔ２のように、可動ミラー部材４０１は図面上１ピッチ（ｄ）分、右に移動する。さらに、時刻ｔ３になると、電極Ａ、Ｂ、Ｃ、Ｄの印加電圧がシフトし、図５（Ａ）の時刻ｔ３のように、可動ミラー部材４０１は右に１ピッチ（ｄ）分移動する。
【００３３】
ここで、上述の可動反射ミラー２０１の構成の一例として、
可動ミラー部材４０１の退避量Ｄ  Ｄ＝２５ｍｍ
電極ピッチｄ                    ｄ＝０．０５ｍｍ
ステップ数Ｓ                    Ｓ＝Ｄ／ｄ＝５００
駆動信号周波数ｆ                ｆ＝２０ＫＨｚ
駆動信号周期Ｔ                  Ｔ＝０．０５ｍＳ
１周期の駆動量Ｋ                Ｋ＝４ピッチ
とすると、駆動時間は
駆動時間Ｊ                      Ｊ＝Ｔ・Ｓ／Ｋ＝０．０５ｍＳ・５００／４
≒６ｍＳ
となる。
【００３４】
次に、本発明の一実施形態におけるデジタルカメラの動作について図６乃至図８に示すフローチャートを用いて説明する。図６に示すパワーオンリセットのフローに入ると、カメラ本体２０のパワースイッチ２５７がオンとなったかを判定する（Ｓ１）。判定の結果、パワースイッチ２５７がオフの場合には、ステップＳ３に進み、低消費電力の状態であるスリープ状態となる。このスリープ状態ではパワースイッチ２５７がオンとなった場合のみに割り込み処理を行い、ステップＳ５以下においてパワースイッチオンのための処理を行う。パワースイッチがオンとなるまでは、パワースイッチ割り込み処理以外の動作を停止し、電源電池の消耗を防止する。
【００３５】
ステップＳ１において、パワースイッチ２５７がオンであった場合には、ステップＳ２に進み、着脱スイッチ２５９がオフか否かを判定する。前述したように着脱検知スイッチ２５９は、レンズ鏡筒１０がカメラ本体２０から外されると、オフとなるスイッチである。オフであった場合、すなわちレンズ鏡筒１０が離脱していた場合には、後述するステップＳ５１に進む。これは、レンズ鏡筒１０が離脱している状態でカメラ本体２０のパワースイッチレバーが操作され、パワーオンとなった場合に、レンズ離脱時と同様な処理をするためである。ステップＳ２において、着脱スイッチ２５９がオンであった場合には、ステップＳ７以下に進み、パワースイッチオンのための処理を行う。
【００３６】
ステップＳ７では、防塵フィルタ２０５における塵埃除去動作を行う。これは防塵フィルタ２０５に固着された圧電素子２０７に防塵フィルタ駆動回路２１１から駆動電圧を印加し、前述したように超音波によって塵埃等を除去する動作である。続いて、シャッタ駆動回路２１３によってシャッタ２０３の開放動作を行う（Ｓ９）。可動反射ミラー２０１の可動ミラー部材４０１は、初期状態では開口部２０１ａから退避した位置にあるので、開口部２０１ａを通過した被写体光束は、シャッタ２０３によって遮られないので、ＣＣＤ２２１上に被写体像が結像される。このＣＣＤ２２１によって撮像された画像データを用いて背面液晶モニタ２６に被写体像を動画表示するスルー画表示の開始を指示する（Ｓ１１）。なお、スルー画表示動作の制御はこの開始指示を受けて画像処理回路２２７にて行われる。
【００３７】
次に、図示しないモードダイヤル等によって設定された撮影モードや、ＩＳＯ感度、マニュアル設定されたシャッタ速度や絞り値等の情報があればそれらの撮影条件の読み込みを行う（Ｓ１３）。そして、ＣＣＤ２２１の出力に基づいて被写体輝度を求め、露光量を演算し、この露光量を用いて撮影モード・撮影条件に従ってシャッタ速度や絞り値等の露光制御値の演算を行う（Ｓ１５）。また、被写体輝度や露光量等を用い、スルー画表示設定を行う（Ｓ１７）。このステップでは、ＣＣＤ２２１の駆動にあたっての電子シャッタスピードと感度の条件設定を行うために、ステップＳ１５で求めた露光量の演算結果、もしくは前回の表示画像を用いて、背面液晶モニタ２６および／またはファインダ内液晶２９に適切な明るさ（明度）の像を表示するための演算と設定を行う。また、スルー画表示を行う際のフレームレートの設定（本実施形態では３０ｆｐｓ）も行う。ここで、設定されたフレームレートに従って背面液晶モニタ２６等に表示されるように、ＣＣＤ２２１での読み出しや画像処理回路２２７・ビデオ信号出力回路２３３・液晶モニタ駆動回路２３５等の処理がなされる。
【００３８】
次に、ステップＳ１９に進み、再生モードか否かの判定を行う。この再生モードは、再生釦が操作された際に、記録媒体２４５に記録された静止画データを読み出して背面液晶モニタ２６および／またはファインダ内液晶２９に表示するモードである。判定の結果、再生モードが設定された場合には、ステップＳ３１に進み、画像処理回路２２７に対してスルー画表示を停止するよう指示する。そのあと、シャッタ２０３の閉じ動作を行ってから（Ｓ３３）、記録媒体２４５に記録されている静止画データを読出し、圧縮伸張回路２３１にて画像データを伸張し、ビデオ信号出力回路２３３および液晶モニタ駆動回路２３５を介して、背面液晶モニタ２６および／またはファインダ内液晶２９に静止画を再生表示する（Ｓ３５）。再生動作中にレリーズ釦の半押し等、他の手動操作がなされた場合には、再生動作を終了してステップＳ７に戻り、前述の動作を繰り返す。
【００３９】
ステップＳ１９に戻り、再生モードが設定されていなかった場合には、ステップＳ２１に進み、メニューモードが設定されているか否かを判定する。これは、メニュー釦が操作され、メニューモードが設定されているか否かを判定する。判定の結果、メニューモードが設定されていた場合には、再生モードが設定されていた場合と同様に、スルー画停止指示が出力され（Ｓ３７）、シャッタ２０３に閉じ指令を出力する（Ｓ３９）。この後、メニュー設定動作を行う（Ｓ４１）。メニュー設定動作によって、ホワイトバランス、ＩＳＯ感度設定、ドライブモードの設定等、各種の設定動作を行うことができる。メニュー設定動作が終了すると、ステップＳ７に戻り、前述の動作を繰り返す。
【００４０】
ステップＳ２１に戻り、判定の結果、メニューモードが設定されていなかった場合には、ステップＳ２３に進み、レリーズ釦が半押しされたか、すなわち１Ｒスイッチがオンか否かの判定を行う。判定の結果、１Ｒがオンであった場合には、ステップＳ４３に進み、撮影準備と撮影を行う撮影動作のサブルーチンを実行する。このサブルーチンの詳細は図７を用いて後述する。撮影動作のサブルーチンが終了すると、ステップＳ７に戻り、前述のステップを繰り返す。
【００４１】
ステップＳ２３に戻り、判定の結果、１Ｒスイッチがオフであった場合には、ステップＳ２５に進み、ステップＳ２と同様に、着脱検知スイッチ２５９がオフか否かを判定する。レンズ鏡筒１０が離脱されると、再生モードにおけるステップＳ３１およびＳ３３と同様に、スルー画停止指示を出力し（Ｓ４５）、シャッタ２０３の閉じ動作を行う（Ｓ４７）。
【００４２】
シャッタ２０３の閉じ動作が終わると、またはステップＳ２で着脱検知スイッチ２５９がオフであると判定された場合（すなわち、レンズ鏡筒１０が離脱している場合）には、ステップＳ５１に進み、着脱検知スイッチ２５９がオンか否かを判定する。ステップＳ２５において、レンズ鏡筒１０が離脱されたことを検出した後、レンズ鏡筒１０が再び装着されたか否かを判定するものである。判定の結果、装着されていた場合には、ステップＳ７に戻り、前述のステップを繰り返す。
【００４３】
ステップＳ５１に戻り、着脱検知スイッチ２５９がオフであった場合には、ステップＳ５３に進み、パワースイッチ２５７がオンか否かを判定する。レンズ鏡筒１０が離脱され、パワースイッチ２５７がオンの場合には、各種操作釦が操作されても、マウント開口部が開放のままなので、誤動作防止の観点から、カメラ動作を行わないようにしている。そのため、ステップＳ５１にてレンズ鏡筒１０の装着状態と、ステップＳ５３においてパワースイッチレバーの操作状態の判定を繰り返し行う待機状態となる。ステップＳ５３において、パワースイッチ２５７がオフと判定されると、ステップＳ３に戻り、スリープ状態になる。なお、ステップＳ５１において、レンズ鏡筒１０が離脱されたままであることを検出した場合に、ステップＳ５３の判定を省略して、ステップＳ３に進みスリープ状態としてもよく、また、ステップＳ１３に進み、各種操作釦による操作に基づく動作を行う等の変形は可能である。
【００４４】
ステップＳ２５に戻り、判定の結果、着脱検知スイッチ２５９がオン、すなわちレンズ鏡筒１０がカメラ本体に装着されていた場合には、ステップＳ２７に進み、パワースイッチ２５７がオンか否かを判定する。判定の結果、オンであった場合には、ステップＳ１３に戻り、前述のステップを繰り返す。ステップＳ１１において、スルー画表示が開始された後、ステップＳ１９以降において各種操作釦等が操作されない限り、可動反射ミラー２０１の開口部２０１ａを通過した被写体光束は、シャッタ２０３によって妨げられないので、ＣＣＤ２２１上に被写体像が結像し、このＣＣＤ２２１によって撮像された画像データが背面液晶モニタ２６および／またはファインダ内液晶２９に動画像としてスルー画表示される。ステップＳ２７において、パワースイッチ２５７がオフと判定された場合には、ステップＳ３１、Ｓ３３と同様に、画像処理回路２２７に対してスルー画表示を停止するよう指示し（Ｓ２８）、シャッタ２０３の閉じ動作を行う（Ｓ２９）。この後、ステップＳ３に戻りスリープ状態となる。
【００４５】
次に、ステップＳ４３の撮影動作のサブルーチンについて図７を用いて説明する。このサブルーチンは前述したように、レリーズ釦の半押しがなされると実行される。まず、測距センサ２１７の内の測距センサにおける測距のための積分動作を行う（Ｓ７１）。測距にあたっては、可動反射ミラー２０１の可動ミラー部材４０１が開口部２０１ａに進出し、被写体光束を測距センサに反射する。なお、この測距積分のサブルーチンについては、図８を用いて後述する。測距積分が終わると、続いて測距演算・自動焦点調節を行う（Ｓ７２）。これは、被写体光束を受光した測距センサの出力を用いて測距処理回路２１９やボディＣＰＵ２２９等はＴＴＬ位相差法によってレンズ１０１ａ、１０１ｂの焦点ズレ量を検出し、この検出された焦点ズレ量に基づいて、レンズＣＰＵ１１１を介して、光学系駆動機構１０７によってピント位置にレンズ１０１ａ、１０１ｂを駆動する。
【００４６】
次に、露光量演算を行う（Ｓ７３）。これはステップＳ７１で行った測距積分を用いて、ボディＣＰＵ２２９は、被写体輝度ＢＶを求める。この被写体輝度ＢＶを用いて露光量ＥＶを求め、さらに撮影モード等に従ってシャッタ速度や絞り等の露出条件を求める。
【００４７】
次に、レリーズ釦の全押し操作がなされているか、すなわち２Ｒがオンか否かについて判定する（Ｓ７５）。判定の結果、オフであった場合には、ステップＳ７７に進み、１Ｒがオンか否かの判定を行う。レリーズ釦の半押し動作で、この撮影動作のサブルーチンにジャンプしてきて、レリーズ釦が半押しのままの場合には、ステップＳ７４〜Ｓ７７で繰り返し判定を行う待機状態となる。レリーズ釦から手が離れ、１Ｒがオフとなると、パワーオンリセットのステップＳ７に戻る。
【００４８】
ステップＳ７５に戻り、判定の結果、２Ｒスイッチがオンであった場合、すなわちレリーズ釦が全押しされた場合には、静止画像取得のための撮像動作に移る。まず、ステップＳ７９において、画像処理回路２２７に対してスルー画停止の指示を出力する。これは静止画像取得にあたって、可動反射ミラー２０１の退避位置への移動動作、シャッタ２０３の開閉動作等により、ＣＣＤ２２１に入射する被写体像に乱れが生じ、背面液晶モニタ２６および／またはファインダ内液晶２９においてスルー画像が見苦しくなることを防止するためである。
【００４９】
続いて、設定絞り値またはＳ７３で演算された絞り値まで絞り１０３の絞込み動作を、レンズＣＰＵ１１１を介し絞り駆動機構１０９によって行う（Ｓ８３）。絞込み動作が終わると、次にＣＣＤ２２１による露光動作を行う（Ｓ８５）。すなわち、可動反射ミラー２０１の可動ミラー部材４０１は、ステップＳ７１の測距積分のサブルーチン中で、開口部２０１ａから退避位置に移動していることから、レンズ１０１ａ、１０１ｂを通過した被写体光束の全部が、ＣＣＤ２２１上で結像している。この状態でＣＣＤ２２１の電子シャッタのリセットを解除し、被写体像の光電変換電流の電荷蓄積を開始する。予め手動設定若しくはステップＳ７３で設定された露光時間が経過すると、ＣＣＤ２２１の電子シャッタは光電変換信号の電荷蓄積を停止する。なお、ステップＳ８５の露光動作において、ＣＣＤ２２１の電子シャッタによって露光時間を制御していたが、これに限らず、シャッタ２０３によっても露光時間を制御することができる。この場合には、露光動作の開始前に、一旦、シャッタ２０３の先幕・後幕を初期位置に移動させることが必要となる。
【００５０】
続いて、シャッタ２０３の閉じ動作を行い、（Ｓ８７）、絞り１０３の開放動作の指示をレンズＣＰＵ１１１に出力する（Ｓ８９）。また、ＣＣＤ２２１で電荷蓄積された画像信号の読み出しを行い（Ｓ９１）、画像処理回路２２７等にて画像処理を行う（Ｓ９３）。圧縮伸張回路２３１において信号圧縮等の処理を行った後、記録媒体２４５に画像データの記録を行う（Ｓ９５）。画像データの記録が終わると、ステップＳ９７において、１Ｒスイッチがオンであるか、すなわちレリーズ釦が半押し状態であるか否かを判定する。１Ｒスイッチがオフとなると、パワーオンリセットのルーチンに戻る。
【００５１】
本実施形態の撮影動作のサブルーチンにおいては、静止画像を取得する撮像動作の際に可動反射ミラー２０１の可動ミラー部材４０１を開口部２０１ａから退避させている。このため可動反射ミラー２０１におおいて被写体光量が減衰することがなく、静止画像取得にあたって被写体光量を増加させることができ、高速シャッタ速度での撮影が可能となる。
【００５２】
次に、ステップＳ７１の測距積分のサブルーチンについて図８を用いて説明する。まず、スルー画の更新禁止の指示を画像処理回路２２７等に出力する（Ｓ１０１）。これは、測距を行うにあたって、可動反射ミラー２０１の可動ミラー部材４０１が開口部２０１ａに進出するため、測距のための積分動作を行っている間、ＣＣＤ２２１に被写体光束が到達せず、背面液晶モニタ２６等でのスルー画表示が乱れて見苦しくなることを防止するためである。この間、スルー画が更新されないことから、直前のスルー画に固定され表示されることになる。
【００５３】
続いて、可動反射ミラー２０１の可動ミラー部材４０１が開口部２０１ａに進出する（Ｓ１０３）。これは前述したようにパルス発生回路５０１に対して進出動作用の制御信号を出力しパルスを発生させ、９０度移相の異なるパルスを走査電極４０３ａに印加させることにより、開口部２０１ａを覆う位置まで可動ミラー部材４０１を進出させる。可動反射ミラー２０１の進出動作が完了すると、測距センサ２１７の測距センサ上に、可動反射ミラー２０１によって反射された被写体光束が到達するので、測距積分の開始指示を出力する（Ｓ１０５）。これは、入出力回路２３９を介して測距処理回路２１９に対して行う。
【００５４】
次に、測距を行うに充分な積分レベルに達したかを検出する（Ｓ１０７）。充分なレベルに達した場合には、測距終了と判断して可動反射ミラー２０１の退避動作を行う（Ｓ１０９）。これは、パルス発生回路５０１に対して退避動作用の制御信号を出力しパルスを発生させ、進出時とは逆移相で９０度移相の異なるパルスを走査電極４０３ａに印加させることにより、開口部２０１ａから退避する位置まで可動ミラー部材４０１を移動させる。可動反射ミラー２０１の退避が完了すると、再び、ＣＣＤ２２１上に被写体像が結像し、スルー画表示が可能となるので、スルー画更新許可指示を出力する（Ｓ１１１）。
【００５５】
ステップＳ１０７に戻り、検出の結果、測距を行うに充分な積分レベルに達していなかった場合には、ステップＳ１１３に進み、測距積分を開始してから２０ｍＳが経過したかを判定する。充分な積分レベルに達するか２０ｍＳが経過するまでは、ステップＳ１０７とＳ１１３の判定を繰り返し行う待機状態となる。被写体輝度が暗い場合には、充分な積分レベルに到達する前に２０ｍＳが経過してしまうことが多いので、その場合はステップＳ１１５に進み、測距積分中断指示を測距処理回路２１９に出力する。
【００５６】
測距積分の中断指示を出力後、可動反射ミラー２０１の退避動作を、ステップＳ１０９と同様に行う（Ｓ１１７）。可動反射ミラー２０１が退避すると再びＣＣＤ２２１上には被写体像が結像するので、スルー画表示が可能となることから、画像処理回路２２７等にスルー画更新許可指示を出力する（Ｓ１１９）。この状態で、スルー画の１フレーム分に相当する１／３０秒の間、待機する。
【００５７】
ステップＳ１２１での待機時間が経過すると、ステップＳ１０１に戻り、スルー画更新禁止の指示を出力する。そして、可動反射ミラー２０１の進出動作を行い（Ｓ１０３）、２０ｍＳ測定用のタイマをリセットすると共に、測距積分を再開する（Ｓ１０５）。すなわち、ステップＳ１１５における積分動作の中断では積分値はリセットされておらず、ステップＳ１０５において積分動作の再開を行っている。このようにして、１／３０秒間の待機時間間隔で積分を繰り返しており、充分な積分レベルとなると、ステップＳ１０７からステップＳ１０９、Ｓ１１１を経て撮影動作のルーチンに戻る。
【００５８】
なお、本実施形態においては、充分な積分レベルに達するまで、上述のループを繰りかえてしているが、ループ数をカウントし、所定回数に達した場合には、強制的に測距積分を終了するようにしても勿論構わない。また、ステップＳ１１３において、２０ｍＳ経過したかを判定していたが、この時間は、１フレーム分の時間より短い時間であれば、適宜、変更することができる。
【００５９】
以上の一連の動作を図１０のタイムチャートを用いて説明すると、ＣＣＤ２２１による撮像は１／３０秒間隔で行われ、取得された画像データは続いてスルー画表示される。スルー画表示中に測距を行うために、可動反射ミラー２０１が反射位置となると、ＣＣＤ２２１に被写体光束が到達せず、撮像できない（図１０の符号６０１のタイミング）。この間、符号６０５のタイミングで測距動作が開始し（積分開始）、符号６０７のタイミングで測距動作が終了する（積分終了）。そして符号６０１のタイミングでは撮像ができないので、符号６０３のタイミングでは画像データが更新されず、スルー画が固定されたままとなる。
【００６０】
被写体輝度が低輝度の場合には、複数回、可動反射ミラー２０１を反射位置に移動させ（図１０において、符号６０９、６１１、６１３、６１５のタイミング）、測距のための積分動作を繰り返す。この間、撮像できないタイミングが生ずるが（図１０において、符号６２１、６２３、６２５、６２７）、この間のスルー画は固定され（図１０において、符号６３１、６３３、６３５、６３７）、画面がちらついたり乱れたりすることはない。また、スルー画が固定されるのは、１フレーム分と短時間であることから、ユーザからみて違和感を与えることも殆どない。
【００６１】
従来の可動反射ハーフミラーを用いた場合と本実施形態における可動反射ミラー２０１を用いた場合を比較してみると次のようになる。
まず、位相差ＡＦセンサによる一般的な測距積分時間は、
１００％ミラー（本実施形態）          ：  ３ｍＳ程度
３０％ミラー（従来のハーフミラー）  ：１０ｍＳ程度
この測距時間の相違は、ハーフミラーの場合には、被写体光量が充分にとることができず、測距積分に時間を要するためである。
【００６２】
次に、従来の一眼レフカメラのクイックリターンミラー機構を採用した場合のスルー画不能時間を求める。
駆動時間  光路外→光路内：  ５０ｍＳ
光路内→光路外：  ５０ｍＳ
往復          ：１００ｍＳ
そうすると、撮像不能時間は、クリックリターンミラー機構の往復時間に３０％ハーフミラー時の測距積分時間（１０ｍＳ）を加味すればよいので、
撮像不能時間            ：１１０ｍＳ
スルー画不能時間は、３０ｆｐｓとすると、
スルー画不能時間        ：１３３ｍＳ  （４フレーム分）
となる。
【００６３】
それに対して、本実施形態のように、エレクトレットミラーをクイックリターンミラーの代わりに用いると、
駆動時間  光路外→光路内：  ６ｍＳ
光路内→光路外：  ６ｍＳ
往復          ：  １２ｍＳ
撮像不能時間は、可動反射ミラー機構の往復時間に測距積分時間（３ｍＳ）を加味すればよいので、
撮像不能時間            ：  １５ｍＳ
スルー画不能時間は、３０ｆｐｓとすると、
スルー画不能時間        ：  ３３ｍＳ  （１フレーム分）
となる。
【００６４】
このように、本実施形態においては、エレクトレットミラーを可動反射ミラー２０１に採用することにより、高速で可動ミラー部材４０１を移動させることができ、このため撮像不能時間やスルー画不能時間を最小限にすることができる。また、可動反射ミラー２０１を反射位置におくことにより、測距を行うことができ、充分な被写体光束で、測距を行うことができる。また、測距が終了すると直ちに可動反射ミラー２０１は退避位置に移動し、スルー画表示を行うことができる。さらに、このスルー画不能時間の間は、前回、撮像した画像データを固定しておくので、ユーザに違和感を与えることがない。
【００６５】
また、被写体が低輝度の場合には、１フレーム分より短時間の測距積分とスルー画像取得のための撮像を繰り返すようにしたので、ユーザに違和感を与えることなく、積分動作を繰り返すことができ、低輝度の場合でも測距を行うことができる。さらに、本実施形態においては、ＣＣＤ２２１に被写体光束を導くにあたって、開口部２０１ａを通過するだけであるので、ハーフミラーを傾けて配置した場合に、ハーフミラーでの屈折により像位置がシフトしたり、収差によるスルー画像の歪曲やボケが発生することがない。
【００６６】
次に、測距積分の変形例について図９を用いて説明する。本発明の一実施形態においては可動ミラー部材４０１をアルミ蒸着により全反射面としていたが、この変形例は可動ミラー部材４０１をハーフミラーで構成し、他の構成は一実施形態と同様である。可動ミラー部材４０１をハーフミラーで構成することから、測距動作のために可動ミラー部材４０１を反射位置に進出させた際でも、ハーフミラーを透過した被写体光がＣＣＤ２２１に到達する。このため、測距動作中もスルー画表示のために撮像データの更新は可能であるが、ハーフミラーを透過する分、光量が減少する。この変形例では、スルー画表示を測距動作中も継続して行うが、光量不足に対して被写体像信号の増幅器のゲインをコントロールし、表示装置の明度を一定に保つようにしている。
【００６７】
測距積分のサブルーチンに入ると、まず、ステップＳ１３１において、スルー画ゲインアップの指示を、撮像素子駆動回路２２３や画像処理回路２２７等に出力する。この場合のゲインアップは、可動ミラー部材４０１のハーフミラーの透過率に応じた値とする。続いて、可動反射ミラー２０１の可動ミラー部材４０１を開口部２０１ａに進出させる。この駆動方法は、一実施形態と同様である。可動ミラー部材４０１が開口部２０１ａに進出すると、被写体光束の一部が反射され、測距センサ２１７に到達するので、ボディＣＰＵ２２９は測距積分開始の指示を出力する（Ｓ１３５）。
【００６８】
測距積分の積分値が所定値に達したかを判定し（Ｓ１３７）、達すると測距を終了し、可動ミラー部材４０１を開口部２０１ａから退避させる（Ｓ１３９）。この退避動作が終了すると、ＣＣＤ２２１に到達する被写体光量が元のレベルに戻るので、スルー画ゲインダウンの指示を、撮像素子駆動回路２２３や画像処理回路２２７等に出力する。この指示の出力の後、撮影動作のルーチンに戻る。
【００６９】
このように、本発明の変形例においては、可動反射ミラー２０１にハーフミラーを用いているので、撮影レンズの光路中に可動反射ミラー２０１が進出した際にも、スルー画表示のための撮像動作を続行することができる。このとき、スルー画表示のためのゲインを調整し、表示装置において一定の明度を保つようにしたので、ユーザに違和感を与えることがない。
【００７０】
以上、説明したように本発明の実施形態においては、ＣＣＤ２２１への光路内に静電力を利用して進退可能な可動反射ミラー２０１と、この可動反射ミラー２０１が光路内に進出した際に、被写体光束が反射される位置に配置された測距センサ２１６と、可動反射ミラー２０１が退避している際にＣＣＤ２２１から出力される被写体像信号に基づいてスルー画表示する背面液晶モニタ２６等の表示装置を設けたので、スルー画表示を行うと共に、必要なときには可動反射ミラー２０１を光路内に進出させることにより測距を行うことができる。
【００７１】
また、本発明の実施形態においては、可動反射ミラー２０１は、静電力を用いて可動ミラー部材４０１を駆動するようにしたので、小型化できると共に高速に駆動することができる。このため、反射位置と退避位置の切換を短時間で行うことができ、スルー画更新禁止の時間を短くすることができる。また、スルー画の動画像が殆ど途切れることがなく、違和感のないスルー画表示とすることができる。
【００７２】
さらに、本発明の実施形態においては、可動ミラー部材４０１が開口部２０１ａを覆って撮像ができない期間は、直前に撮像した画像データを表示するようにしたので、画像の乱れが生ずることがなく、違和感のないスルー画表示とすることができる。
【００７３】
さらに、本発明の実施形態においては、可動反射ミラー２０１が光路内に進出し、再び退避するまでの時間は、ＣＣＤ２２１の１撮像周期よりも短く設定している。このため、スルー画表示のための撮像不能期間は１フレームであり、非常に短時間であり、スルー画として画像が固定された期間が殆ど目立つことがない。
【００７４】
さらに、本発明の実施形態においては、被写体が低輝度の場合に測距動作を複数に分割して実行している。このため、適正レベルの測距値を得ることができると共に、途中で測距を中断しながら、スルー画表示のための撮像を行っているので、殆ど途切れることのないスルー画表示を行うことができる。
【００７５】
上述の本発明の実施形態においては、可動反射ミラー２０１として、エレクレットフィルムを備えたエレクトレットミラーを利用していたが、これに限らず、静電力を利用し、すなわちプラスとマイナスの引き合う力を利用するようにしても構わない。
【００７６】
本実施形態においては、本発明を一般的なデジタルカメラに適用したものであったが、これに限らず、携帯等の各種装置内のデジタルカメラでもよく、また顕微鏡、双眼鏡等の各種装置に取り付けられる専用デジタルカメラにも適用できることは勿論である。撮影対象をモニタ装置にスルー画表示するデジタルカメラであれば、本発明を適用することができる。
【図面の簡単な説明】
【００７７】
【図１】本発明を適用した一実施形態におけるデジタルカメラの電気系の全体構成を示すブロック図である。
【図２】本発明を適用した一実施形態における可動反射ミラーの構造を示す図であって、（Ａ）は可動反射ミラーの外観斜視図、（Ｂ）は可動反射ミラーの断面図、（Ｃ）は可動ミラー部材の断面図である。
【図３】本発明を適用した一実施形態における可動反射ミラーの動作状態を示す透視平面図であり、（Ａ）は可動ミラー部材が開口部から退避した状態、（Ｂ）は可動ミラー部材が開口部を覆う反射位置に移動した状態を示す透視平面図である。
【図４】本発明を適用した一実施形態における反射ミラー駆動回路の構成を示す回路図である。
【図５】本発明を適用した一実施形態における可動反射ミラーの動作を示す図であり、（Ａ）は駆動状況を示す断面図であり、（Ｂ）は各走査電極に印加される駆動信号を示すタイムチャートである。
【図６】本発明の一実施形態におけるパワーオンリセットの動作を示すフローチャートである。
【図７】本発明の一実施形態における撮影動作のフローチャートである。
【図８】本発明の一実施形態における測距積分のフローチャートである。
【図９】本発明の一実施形態における測距積分の変形例のフローチャートである。
【図１０】本発明の一実施形態における撮像動作、スルー画表示と可動反射ミラーの動作関係を示すタイムチャートである。
【符号の説明】
【００７８】
１０  レンズ鏡筒
２０  カメラ本体
２６  背面液晶モニタ
２９  ファインダ内液晶モニタ
１０１ａ、１０１ｂ  レンズ
１１１  レンズＣＰＵ
２０１  可動反射ミラー
２０１ａ  開口部
２０３  シャッタ
２１３  シャッタ駆動機構
２１５  反射ミラー駆動回路
２１７  測距センサ
２１９  測距処理回路
２２１  ＣＣＤ
２２３  撮像素子駆動回路
２２７  画像処理回路
２２９  ボディＣＰＵ
２５７  パワースイッチ
４０１  可動ミラー部材
４０１ａ  基材
４０１ｂ  アルミ蒸着
４０１ｃ  エレクトレットフィルム
４０３  ガラス基板
４０３ａ  走査電極
４０５  保護ガラス
４０７  スペーサー
【図２】
2008010907.tif 000003
【図３】
2008010907.tif 000004
【図４】
2008010907.tif 000005
【図５】
2008010907.tif 000006
【図１】
2008010907.tif 000007
【図６】
2008010907.tif 000008
【図７】
2008010907.tif 000009
【図８】
2008010907.tif 000010
【図９】
2008010907.tif 000011
【図１０】
2008010907.tif 000012